(57)【要約】【課題】止水板本体を開口側に付勢する機構を備え、容易かつ確実に開口に配設可能な止水板を提供する。【解決手段】建物開口を封鎖する止水板を開口側に対して付勢する付勢機構を備えた止水板であって、止水板本体と、床面当接部と、前記床面当接部を支点に傾斜角度が変更自在な傾斜板と、から構成され、前記傾斜板の一方の端部領域の底面に前記床面当接部が配設され、他方の端部が前記止水板に対して略鉛直方向にスライド自在に接続され、前記傾斜板の傾斜角度のさらなる傾斜により前記止水板を付勢すること、を特徴とする止水板。【選択図】図１
2019105059.tif 000002
【特許請求の範囲】
【請求項１】
建物開口を封鎖する止水板を開口側に対して付勢する付勢機構を備えた止水板であって、
止水板本体と、
床面当接部と、
前記床面当接部を支点に傾斜角度が変更自在な傾斜板と、から構成され、
前記傾斜板の一方の端部領域の底面に前記床面当接部が配設され、他方の端部が前記止水板に対して略鉛直方向にスライド自在に接続され、
前記傾斜板の傾斜角度のさらなる傾斜により前記止水板を付勢すること、
を特徴とする止水板。
【請求項２】
前記止水板本体が、止水板面から立設し、略鉛直方向に延びる長孔を具備した接続片を備え、
前記傾斜板の他方の端部領域が前記長孔に沿ってスライド自在に接続されること、
を特徴とする請求項１に記載の止水板。
【請求項３】
前記傾斜板が、固定具を用いて前記止水板本体に接続され、
前記固定具が、固定面と、前記固定面に対して略直角で前記固定面の両端に配置された接続片と、から構成され、
前記接続片双方が、略鉛直方向に延びる長孔を具備し、
前記傾斜板の他方の端部領域が前記長孔に沿ってスライド自在に接続され、前記固定面が前記止水板本体に固定されること、
を特徴とする請求項１又は２に記載の止水板。
【請求項４】
前記傾斜板が、傾斜保持手段を具備し、
前記傾斜保持手段が、前記傾斜板の他方の端部領域を上方に牽引する牽引付勢又は下方から押し上げる押上付勢を行う弾性体であること、
を特徴とする請求項１〜３のいずれかに記載の止水板。
【請求項５】
前記傾斜板が、前記他方の端部を軸にして、前記止水板本体に対して回動及び係止可能であること、
を特徴とする請求項１〜４のいずれかに記載の止水板。
【請求項６】
前記床面当接部が、下方に突出する略半球状であること、
を特徴とする請求項１〜５のいずれかに記載の止水板。
【発明の詳細な説明】
【技術分野】
【０００１】
本発明は、建物の開口を封鎖して外部からの水を堰き止め、内部への水の侵入を阻止するための止水板に関し、より簡便かつ確実に開口に設置可能な止水板に関する。
【背景技術】
【０００２】
昨今、地球温暖化を要因の一つとする異常気象に伴い、各地で短時間の記録的なゲリラ豪雨が頻発しているところ、都市部では道路の舗装化が進んでおり、降雨した雨水は殆ど地中に浸透することなく、下水道施設から河川へと一気に流入し、短時間で河川が氾濫したり下水道施設から雨水が噴き出したりし、床下浸水や床上浸水等の水害が出ている。
【０００３】
このような水害時は、従来、建物の出入口等の建物開口に土嚢を積み上げて遮水壁を作り、建物等の内部への水の浸入を防いでいたが、土嚢は非常に重いため、積上げ作業には大変な時間と労力を要し、短時間で起こる水害を防止するのは困難であり、また、嵩張るので保管場所を確保するのも容易ではなかった。
【０００４】
そこで、出入口等の建物開口形状及び寸法に応じて形成された専用の止水板が使用される場合もあり、より確実な止水方法が確立されつつある。当該止水板は、開口に固定して該開口を封鎖し、水の侵入を防止するものであるが、例えば止水板を開口内に配置し、当該開口を構成する枠に対して内側から水平方向に突っ張って固定する突っ張り方式の止水板が使用されている。
【０００５】
しかし、このような固定方法を用いた止水板は、開口を構成する枠が該開口の前方から後方に対して略平行に設けられたものであれば固定できるが、枠が非平行である場合は水平方向に突っ張りが効かず、確実な固定を行うことができない。また、開口を構成する枠に、ある程度高さのある凹凸が形成されている場合も、確実な固定ができない場合がある。
【０００６】
これに対し、特許文献１（特開２０１６−２０４９４８号公報）には、開口を構成する枠の後方側出隅部にフックを掛け、枠の前方に配置した止水板を当該フックと接続しつつ、双方を前後方向に引っ張り合うことで止水板を開口に固定する浸水防止装置が開示されている。これにより、開口を構成する枠が非平行であっても、止水板を当該開口に固定することができるとされている。
【先行技術文献】
【特許文献】
【０００７】
【特許文献１】特開２０１６−２０４９４８号公報
【発明の概要】
【発明が解決しようとする課題】
【０００８】
しかしながら、上記特許文献１の浸水防止装置は、上述のとおりフックや該フックを引っ張るための機械機構を備えていることから、止水板本体と合わせて重量が大きくなっている。このため、開口との固定以前に、開口近傍に浸水防止装置を移動するには時間を要し、移動そのものも困難であった。また、確実に開口と止水板本体との間に隙間がないよう配設することも難しく、派生した隙間から建物側に水が浸入してしまう問題があった。
【０００９】
即ち、従来の止水板の構造に着目すると、止水板本体の運搬を補助する機構が施されておらず、設置者の腕力のみで当該止水板本体を開口に移動させることが困難であり、未だ改善の余地があった。そこで、本発明は、容易かつ確実に止水板本体を開口に配設可能とする止水板本体を開口側に付勢する機構を備えた止水板を提供することを目的とする。
【課題を解決するための手段】
【００１０】
上記の課題を解決すべく、本発明は、
建物開口を封鎖する止水板を開口側に対して付勢する付勢機構を備えた止水板であって、
止水板本体と、
床面当接部と、
前記床面当接部を支点に傾斜角度が変更自在な傾斜板と、から構成され、
前記傾斜板の一方の端部領域の底面に前記床面当接部が配設され、他方の端部が前記止水板に対して略鉛直方向にスライド自在に接続され、
前記傾斜板の傾斜角度のさらなる傾斜により前記止水板を付勢すること、
を特徴とする止水板を提供する。
【００１１】
このような構成を有する本発明の止水板では、例えば設置者が傾斜板を踏み込んで踏力を上方から下方に付加させることにより、建物の開口側に止水板本体を付勢することができる。より具体的には、傾斜板の一方の端部領域が具備する床面当接部が床面に当接した状態で、他方の端部領域が上記踏力によって下方にスライドし、傾斜板が床面側に傾斜する。これにより、床面当接部と床面との当接位置を支点として傾斜板の他方の端部が開口側に向けた付勢力を発し、止水板本体を開口側に付勢して移動させることができる。
【００１２】
本発明の構成は、設置者が止水板を持ち運び、開口部の床面に止水板を載置して開口を封鎖するタイプの止水板に好ましく適用できるものであるが、従来の止水板では、設置者が気づかないで止水板と開口側とに間隙を生じてしまうことがある。特に、隙間は設置者が見づらいために止水板下端側に生じやすく、そのまま止水板を設置すると、止水板と開口との間（とくに、止水板の下部側）から漏水を生じるおそれがある。本発明の構成は付勢して止水板を開口側に移動させることができるため、このような不具合を容易かつ確実に解消することができる。また、後述する当て材（シール材やパッキン）を用いてより止水性を向上させようとするものの、開口側への付勢が不足して漏水を起こすおそれがある際にも好適に機能する。
【００１３】
また、上記の本発明の止水板においては、前記止水板本体が、止水板面から立設し、略鉛直方向に延びる長孔を具備した、少なくとも一片の接続片を備え、前記傾斜板の他方の端部領域が前記長孔に沿ってスライド自在に接続されることが望ましい。
【００１４】
このような構成を有する本発明の止水板では、傾斜板の他方の端部を接続片が備える長孔に接続し、当該長孔の形状に沿ってスライド自在とすれば、傾斜板の傾斜動作を安定させることができ、より確実に止水板本体を建物開口側に付勢することができる。
【００１５】
また、上記の本発明の止水板においては、前記傾斜板が、固定具を用いて前記止水板本体に接続され、前記固定具が、固定面と、前記固定面に対して略直角で前記固定面の両端に配置された接続片と、から構成され、前記接続片双方が、略鉛直方向に延びる長孔を具備し、前記傾斜板の他方の端部領域が前記長孔に沿ってスライド自在に接続され、前記固定面が前記止水板本体に固定されることが望ましい。
【００１６】
このような構成を有する本発明の止水板では、付勢力を発する機構を止水板本体とは別体の固定具を用いることができ、装置の製造が容易になるとともに、２つの相対する接続片を有するために、傾斜板のスライドをより安定させることができる。
【００１７】
また、上記の本発明の止水板においては、前記傾斜板が、傾斜保持手段を具備し、前記傾斜保持手段が、前記傾斜板の他方の端部領域を上方に牽引する牽引付勢又は下方から押し上げる押上付勢を行う弾性体であることが望ましい。
【００１８】
このような構成を有する本発明の止水板では、傾斜保持手段を用いて傾斜板の他方の端部領域を上方に牽引付勢又は下方から押し上げる押上付勢を行うことにより、踏力を付加していない際における傾斜板の傾斜状態が維持される。よって、設置者が傾斜板への踏力を解除した際に、自動で傾斜板を元の傾斜状態に復帰させることができる。また、傾斜板の他方の端部領域が上方に牽引付勢されることで、一方の端部領域が下方に配向し、床面当接部を床面に確実に当接させることができる。
【００１９】
更に、傾斜板に踏力を付加して傾斜させ、止水板本体を開口側に付勢した後、当該踏力の解除による傾斜板の元の傾斜状態復帰により、傾斜板の一方の端部領域が開口側に移動する。よって、傾斜板への踏力の付加及び解除の繰り返しのみで止水板本体を徐々に開口側に移動させて簡便かつ確実に開口を塞ぐこともできる。
【００２０】
また、上記の本発明の止水板においては、前記傾斜板が、前記他方の端部を軸にして、前記止水板本体に対して回動及び係止可能であることが望ましい。
【００２１】
このような構成を有する本発明の止水板では、傾斜板の他方の端部（接続片との接続部）を軸にして傾斜板を止水板本体側へ回動させ、突起部を接続片の係合部に係合させることで傾斜板を止水板本体と略平行に立設させることができる。これにより、止水板の未使用時や、開口への設置完了後において、人間が誤って傾斜板に足を引掛ける等の事故を防止しつつ、未使用時はより簡便に収納スペースに収納することができる。
【００２２】
また、上記の本発明の止水板においては、前記床面当接部が、下方に突出する略半球状であることが望ましい。
【００２３】
このような構成を有する本発明の止水板では、床面当接部を略半球状にし、円弧側を床面に対向させることで、床面当接部と床面との当接面積が小さくなり、傾斜板の傾斜時において、より安定した支点とすることができる。即ち、傾斜板の傾斜角度が変化しても、略球状の床面当接部の何れかの点が床面に当接することになるとともに、小さな面積で面圧高く当接するので、滑ることなく確実にグリップして支点としての機能を果たすことができる。
【発明の効果】
【００２４】
本発明によれば、止水板本体を開口側に付勢する機構を備え、容易かつ確実に止水板本体を開口に配設可能とする止水板を提供することができる。そして、付勢機構が止水板の下端側に配設されるため、隙間を生じやすい下端側を確実に付勢して止水板と開口部との間を詰め、漏水を解消することができる。
【図面の簡単な説明】
【００２５】
【図１】本実施形態における止水板１の概要を説明する模式図である。
【図２】図１に示す傾斜板７の構造を説明する図であって、図２（ａ）は、傾斜板７に対して斜め上方からみた傾斜板７の正面図であり、図２（ｂ）は、傾斜板７の右側面図であり、図２（ｃ）は、傾斜板７の背面図である。
【図３】図１に示す固定具９の構造を示す図であって、図３（ａ）は、固定具９に対して前方側からみた固定具９の正面図であり、図３（ｂ）は、固定具９を上方からみた上面図であり、図３（ｃ）は、固定具９の側面図である。
【図４】図１に示す床面当接部１１の構造を示す図であって、図４（ａ）は、床面当接部１１を略下方からみた床面当接部１１の平面図であり、４（ｂ）は、床面当接部１１の一部を断面視した側面図である。
【図５】本実施形態における止水板１の構成を示す模式図である。
【図６】本実施形態における止水板１の使用方法を説明する図であって、図６（ａ）は傾斜板７に踏力を付加した状態における止水板１の模式図であり、図６（ｂ）は、傾斜板７に踏力を付加した状態における弾性体１５近傍の模式図である。
【図７】本実施形態における止水板１の使用方法を説明する図であって、図７（ａ）は傾斜板７に付加した踏力を解除した状態における止水板１の模式図であり、図７（ｂ）は、傾斜板７に付加した踏力を解除した状態における弾性体１５近傍の模式図である。
【図８】図１に示す傾斜板７の収納方法を示す図であって、図８（ａ）は、傾斜板７を止水板本体３側に回動させた状態を示す模式図であり、図８（ｂ）は、係合部３５に突起部２７が係合した状態を示す模式図である。
【図９】本実施形態における止水板１の固定方法を示す模式図である。
【発明を実施するための形態】
【００２６】
以下、図１〜図９を参照しながら、本実施形態に係る止水板の代表的な実施形態を詳細に説明する。但し、本発明は図示されるものに限られるものではなく、各図面は本発明を概念的に説明するためのものであるから、理解容易のために必要に応じて比や数を誇張又は簡略化して表している場合もある。更に、以下の説明では、同一又は相当部分には同一符号を付し、重複する説明は省略することもある。
【００２７】
１．止水板１の概要
図１を用いて本実施形態における止水板１の概要を説明する。図１は、本実施形態における止水板１の概要を説明する模式図である。図１に示すとおり、本実施形態の止水板１は、例えば有事の際に発生した洪水等の大量の水が、建物の出入口等に設けられた開口５１から内部に流入すること、即ち、図１における矢印の向きに水が建物外部側５３から建物内部側５５に流入することを防止するものである。この止水板１は、以下に説明するように、開口５１に対して止水板本体３をより簡便かつ確実に設置できる機構を備えている。なお、本発明の止水板が用いられる開口としては、家屋やビルのドアや扉などの出入口や窓のほか、外構の出入口、地下街や駐車場への出入口等が例示できる。
【００２８】
２．止水板１の構造
本実施形態の止水板１は、概ね、建物の開口５１に当接設置する止水板本体３と、止水板本体３の下方に配設され開口５１側に止水板本体３を付勢する付勢装置５と、で構成されている。また、付勢装置５は、概ね、設置者からの力を受ける傾斜板７と、傾斜板７の傾斜による付勢を受けて止水板本体３に当該付勢を伝達する固定具９と、傾斜板７の傾斜の支点となる床面当接部１１と、傾斜板７と固定具とを接続する貫（接続部）１３と、傾斜板７の傾斜角度を調整する弾性体（傾斜保持手段）１５と、で構成されている。
【００２９】
＜止水板本体３の構造＞
止水板本体３は、略平行な第一の面（前方面）及び第二の面（後方面）を有し、所定の厚みを有する略矩形の板状部材であり、止水板としての機能を果たしかつ本発明の効果を損なわない範囲で種々の材料を用いて構成される。樹脂製であっても金属製であってもよく、また、例えば止水板本体の主体部分が樹脂製で周縁に金属製の枠材を以って構成していてもよいし、少なくとも第一の面と第二の面を有し、その間を桟構造で連結した中空構造を有していてもよい。
【００３０】
なお、本実施形態の止水板本体３には、床面５９に当接設置した状態で開口内壁６５に当接したうえで、止水板本体３を下方（床面５９側）に押し付ける押圧機構６３を備えており、配置調整後に止水板本体３を短時間かつ簡便確実に固定することができる（図９参照）。
【００３１】
止水板本体３の両端部側において、開口縁部５７に対向する部位には、止水板本体３の高さ方向へ延びて当て材６１Ａが取り付けられている。当て材６１Ａは、ゴム材料、樹脂材料若しくは樹脂発泡体又は空気袋体等で構成することができ、止水板１に水の圧力がかかったときに弾性変形して圧力を受け止め、かつ止水板本体３と開口縁部５７との間から水が漏れないように密封する、いわゆるシール材あるいはパッキンとしての機能を持つ。当て材６１Ａは開口縁部５７側に取り付けられてもよい。
【００３２】
また、本実施形態においては、止水板本体３の下側水平部に当て材６１Ｂが取り付けられている。この当て材６１Ｂについても、ゴム材料、樹脂材料若しくは樹脂発泡体又は空気袋体等で構成することができ、止水板１の自重や設置時の押圧力によって弾性変形し、止水板本体３と床面５９との間から水が漏れないように密封する。また、当て材６１Ａと当て材６１Ｂは、連続していて単一の部材を構成していてもよい。
【００３３】
なお、止水板本体３の第一の面（前方面）における下方略中央には、図５に示すように、後述する付勢装置５のうちの固定具９を接続するための４つの固定孔５０が備わっている。固定孔５０の配置は、固定面９Ａが備える４つの止水板固定用孔３１と略同様の配置とすることが好ましい。
【００３４】
＜傾斜板７の構造＞
次に、図２（ａ）（ｂ）（ｃ）を用いて傾斜板７の構造について詳細に説明する。図２（ａ）（ｂ）（ｃ）は、図１に示す傾斜板７の構造を説明する図であって、図２（ａ）は、傾斜板７に対して斜め上方からみた傾斜板７の正面図であり、図２（ｂ）は、傾斜板７の右側面図であり、図２（ｃ）は、傾斜板７の背面図である。傾斜板７は、本実施形態における止水板１の一部となる付勢装置５を構成する部品であって、開口５１に対して止水板本体３を付勢する際、上方から下方に向けての設置者による力（踏力）を受けてこれを後述する固定具９に伝達するものである。
【００３５】
図２（ａ）（ｂ）（ｃ）に示すとおり、傾斜板７は、天板７Ａと、天板７Ａの両端に配設される側板７Ｂと、で構成されており、耐蝕性を備えた金属材料や高硬度を有する樹脂材料等を用いて一体的に形成されている。天板７Ａの形状は、踏力等を受けて傾斜角度が変更できればよく、本実施形態では略長方形としている。略長方形の天板７Ａの寸法については、人間の足裏の全体又は一部から加えられる踏力を容易に受けることができるよう短辺及び長辺寸法を決定することが望ましい。
【００３６】
また、天板７Ａは、設置者の踏力等を受ける部位であり、表面に弾性体１５との干渉を避けるための弾性体回避孔１７と、固定具９と止水板本体３とを固定する固定ビス１９の頭との干渉を避けるためのビス回避孔２１と、床面当接部１１を接続するための固定孔２３と、を具備している。弾性体回避孔１７、ビス回避孔２１及び固定孔２３の配設場所については、具体的には図２（ａ）のとおりであり、天板７Ａを正面視した状態で、弾性体回避孔１７は上方略中央に、ビス回避孔２１は上方の左及び右に、固定孔２３は下方略中央に、それぞれ配設されている。
【００３７】
側板７Ｂは、上述のとおり天板７Ａの両端に配設される板であって、図２（ｂ）のとおり側板７Ｂを正面視した状態で、下方から上方に向かって拡幅された形状を有しており、上端にアールを備えている。また、上方略中央には傾斜板７と後述する固定具９とを接続するための貫孔２５が備わっており、２枚の側板７Ｂを対向させた際、この貫孔２５が直線上に配置される。
【００３８】
また、側板７Ｂの上方かつ貫孔２５の直下には、側板７Ｂの表面から外部側に突起した突起部２７が備わっており、固定具９に対する傾斜板７の回動を止めることができる。即ち、傾斜板７が、概ね、後述する他方の端部を軸にして、止水板本体３に対して跳ね上げるように回動可能であり、跳ね上げた状態で係止可能な構成となっている。本実施形態の突起部２７は、側板７Ｂをプレス加工等により突起を形成しているが、例えばリベット等、別途部品を加えて形成したものであってもよい。
【００３９】
上記のような天板７Ａ及び側板７Ｂは、図２（ｃ）に示すとおり、天板７Ａの左右の端面それぞれに側板７Ｂが略鉛直に配設される。また、天板７Ａの下方の端面には、傾斜板７の剛性を向上するためのリブ２９が配設されている。
【００４０】
＜固定具９の構造＞
続いて、図３（ａ）（ｂ）（ｃ）を用いて固定具９の構造について詳細に説明する。図３（ａ）（ｂ）（ｃ）は、固定具９の構造を示す図であって、図３（ａ）は、固定具９に対して前方側からみた固定具９の正面図であり、正面図の背面側が止水板に固定されることになる。図３（ｂ）は、固定具９を上方からみた上面図であり、図３（ｃ）は、固定具９の側面図である。固定具９は、上述した傾斜板７と接続して付勢装置５を形成し、付勢装置５を止水板本体３に固定するためのものである。
【００４１】
固定具９は、図３（ａ）（ｂ）（ｃ）に示すとおり、止水板本体３と固定される固定面９Ａと、傾斜板７を接続する２つの接続片９Ｂと、で構成された略コの字状の部品である。固定面９Ａの両端部において略垂直方向に延びるように２つの接続片９Ｂが一体的に配設、形成されている。この固定具９は、耐蝕性を備えた金属材料や高硬度を有する樹脂材料等で構成されており、固定面９Ａは、略矩形で止水板本体３に固定具９を固定するための止水板固定用孔３１と、弾性体１５を固定するための弾性体係合部３３と、を備えている。
【００４２】
止水板固定用孔３１及び弾性体係合部３３の配設場所について、具体的には、図３（ａ）のとおり固定面９Ａを正面視した状態で、止水板固定用孔３１は固定面９Ａの四隅それぞれに、弾性体係合部３３は上方の端面中央に配設されている。なお、本実施形態では、弾性体係合部３３を突起状に形成しているが、例えば略同様の位置に固定面９Ａを貫通する孔を設け、当該孔に弾性体１５の端部を係合して固定してもよい。
【００４３】
接続片９Ｂは、固定面９Ａの両端に配設されるものであって、図３（ｃ）に示すとおり、上下方向が長辺となる略長方形の板である。接続片９Ｂは、固定面９Ａとは反対方向に開口する係合部３５を上方に備えており、傾斜板７が具備する突起部２７と係合する。
【００４４】
また、接続片９Ｂの略中央には、上下方向に延びる長孔３７が備わっており、この長孔３７を介して固定具９に傾斜板７を接続するため、傾斜板７が長孔３７に沿って上下にスライドすることができる。長孔３７の寸法は、傾斜板７のスライド量及び踏力の付加前後における傾斜角度によって決定することが望ましい。
【００４５】
＜床面当接部１１の構造＞
次に、図４（ａ）及び（ｂ）を用いて床面当接部１１の構造について詳細に説明する。図４（ａ）及び（ｂ）は、床面当接部１１の構造を示す図であって、図４（ａ）は、床面当接部１１を略下方からみた平面図であり、４（ｂ）は、床面当接部１１の一部を断面視した側面図である。図４（Ａ）及び（ｂ）に示すとおり、床面当接部１１は、下方に向けて膨出する略半球状の部品であって、本実施例ではゴム材料を用いて形成されている。
【００４６】
床面当接部１１の構造について、より具体的には、図４（ａ）に示すとおり、略中央に傾斜板７と接続するためのボルト挿通孔３９が備わっており、このボルト挿通孔３９の一部が、床面当接部１１と傾斜板７とを接続するボルト４１と対になるナット４２を挿入可能な懐４３となっている。また、図４（ｂ）に示すとおり、側面視した状態における円弧部の先端、即ち下端側には、床面５９に当接するフラット部４５が形成されている。
【００４７】
上記の床面当接部１１を略半球状にし、円弧側を床面５９に対向させることで、床面当接部１１と床面５９との当接面積が小さくなり、傾斜板７の傾斜時において、より安定した支点とすることができる。即ち、傾斜板７の傾斜角度が変化しても、略球状の床面当接部１１の何れかの点が床面５９に当接することになるとともに、小さな面積で面圧高く当接するため、滑ることなく確実にグリップして支点としての機能を果たすことができる。なお、この床面当接部１１は、グリップ性やクッション性を具備するという観点から、例えばゴム材料や軟質の樹脂材料で構成すればよい。
【００４８】
３．止水板１の組立て
続いて、図５を用いて本実施形態における止水板１の組立てについて詳細に説明する。図５は、本実施形態における止水板１の構成を示す模式図である。図５に示すとおり、本実施形態の止水板１は、上述した各部品を所定の方法で組み立てることにより構成されている。なお、弾性体１５は、所定の弾性力を有する金属製のコイルバネであって、両端部に他部品と接続するためのフック状の係合端４５を備えている。また、貫１３は棒状部品であって、両端部が固定ワッシャ４９と係合可能に形成されている。
【００４９】
まず、傾斜板７の天板７Ａに対して底面側から床面当接部１１を当接し、天面７Ａの固定孔２３と床面当接部１１のボルト挿通孔３９とを重ねた状態で天板７Ａの表面側からボルト４１を上記で重ねた孔に挿通し、床面当接部１１の円弧側の開口からナット４２を挿入し、ボルト４１とナット４２とを螺子勘合させて締め付け、天板７Ａと床面当接部１１とを接続する。
【００５０】
続いて、傾斜板７と固定具９とを接近させ、傾斜板７が備える双方の側板７Ｂを固定具９が備える２つの接続片９Ｂ双方間に挿入し、側板７Ｂが備える双方の貫孔２５と接続片９Ｂが備える双方の長孔３７とを連通状態にし、これら全ての孔に貫１３を挿通した後、この貫１３の両端部に固定ワッシャ４９を係合して傾斜板７と固定具９とを接続する。これによって、傾斜板７の他方の端部領域（固定具９との接続端側）は、固定具９の長孔３７に沿って上下方向に摺動可能に接続できたことになる。
【００５１】
更に、固定面９Ａが備える弾性体係合部３３と貫１３との双方に、弾性体１５をやや伸ばすようにして、弾性体１５の両端の係合端４７を係合し、貫１３を上方に牽引する。これにより、傾斜板７の端部領域（床面当接部１１側）が自重で下方斜めに配向され、他方の端部領域が貫１３と共に上方に牽引されて、傾斜板７が傾斜状態に形成される。上記手順により、付勢装置５の組み立てが完了する。
【００５２】
次に、固定具９の固定面９Ａの背面（傾斜板７を配設した面とは反対側の面）を止水板本体３の表面に当接させ、固定面９Ａが具備する４つの止水板固定用孔３１と止水板本体３が具備する４つの固定孔５０とを重ねて連通させる。当該状態で固定面９Ａの表面側から固定ビス１９を上記で重ね合わせた孔に挿入して螺子結合し、固定面９Ａと止水板本体３とを固定する。上記手順を完了することにより、付勢装置５が止水板本体３に接続され、本実施形態の止水板１の組立てが完了する。
【００５３】
４．止水板１の使用方法
続いて、図６（ａ）及び（ｂ）と、図７（ａ）及び（ｂ）と、を用いて本実施形態における止水板１の使用方法について詳細に説明する。図６（ａ）及び（ｂ）は、本実施形態における止水板１の使用方法を説明する図であって、図６（ａ）は傾斜板７に踏力を付加する前後における止水板１の模式図であり、図６（ｂ）は、傾斜板７に踏力を付加した状態における弾性体１５近傍の模式図である。また、図７（ａ）及び（ｂ）は、本実施形態における止水板１の使用方法を説明する図であって、図７（ａ）は傾斜板７に付加した踏力を解除する前後における止水板１の模式図であり、図７（ｂ）は、傾斜板７に付加した踏力を解除した状態における弾性体１５近傍の模式図である。
【００５４】
まず、設置者は本実施形態の止水板１を把持（止水板本体３の上端に設けた把手を把持してもよいし、止水板本体３の左右の端面を直接把持してもよい。）し、止水板本体３の後方面（付勢装置５が配設された面と反対側の面。）を建物外部側５３から建物内部側５５に対向させ、止水板１を可能な範囲で開口５１に接近させる。止水板本体３の下方側の端面を床面５９に当接させつつ止水板１を仮立設（止水板本体３の上部を開口縁部５７に当接させて立て掛けてもよい。）させ、当該状態で傾斜板７を上方から下方に向けて踏み込み、踏力を付加させる。
【００５５】
図６（ａ）（踏力を付加する前後の状態を図示しており、実線が付加前の状態を表示し、鎖線は付加後の状態を示している。）に示すとおり、傾斜板７の一方の端部領域が床面５９のほうに配向し、床面当接部１１下面が床面５９に当接した状態で、傾斜板７の他方の端部領域が上記踏力によって下方に押圧される（本明細書においては、床面５９に当接している側の端部及びその領域をそれぞれ「一方の端部」及び「一方の端部領域」といい、その反対側の端部及びその領域をそれぞれ「他方の端部」及び「他方の端部領域」という。）。このとき、床面当接部１１と床面５９との当接位置を支点として形成される円弧ラインＬ１に沿って傾斜板７が床面５９側に傾斜する。また、傾斜板７の傾斜に伴い、貫１３が固定具９の長孔３７に沿って下方にスライドする。
【００５６】
上述のとおり、傾斜板７が、上記円弧ラインＬ１に沿った傾斜及び長孔３７に沿ったスライドをする。そして、このとき傾斜板７の床面当接部１１（支点）は踏力によって強く床面５９に当接するため滑ったりズレたりして当接位置を変えることがない。これにより、円弧ラインＬ１に沿った貫１３の傾斜移動に起因する水平方向の分力で、貫１３は後方に付勢される。即ち、貫１３を通じて固定具９及び止水板本体３を開口５１側に押圧することができる。より具体的には、貫１３が傾斜に伴って円弧ラインＬ１及び長孔３７に沿いつつ前方及び下方に移動するため、傾斜前後による貫１３の水平距離Ｌ２分が付勢力となり、固定具９及び止水板本体３を開口５１側に移動させることができる。なお、この時には貫１３の下方への移動に伴って弾性体１５が伸ばされ、さらに傾斜板７の上方牽引力が増した状態になる（図６（ｂ）参照。）。
【００５７】
次に、図７（ａ）及び（ｂ）に示すとおり、設置者は傾斜板７への踏力を解除し、弾性体１５の弾性力（収縮力）によって傾斜板７を上方に牽引させる。踏力の解除に伴って床面当接部１１は位置変更が可能な状態となるとともに、前記した傾斜板７を上方に牽引することにより、傾斜板７の床面当接部１１は開口５１側に移動し、床面当接部１１と床面５９との当接位置が変更されることから、支点も開口５１側に移動する。
【００５８】
上述した踏力の付加と解除とを複数回繰り返すことにより、本実施形態の止水板１を徐々に開口５１側に移動（１回の踏力付加によって水平距離Ｌ２分ずつ移動できる。）させることができ、確実に止水板本体３を開口縁部５７に当接させることが可能である。止水板本体３が腕力で容易に移動させることが困難な重量を有していたとしても、上記の様に傾斜板７を踏んで体重を掛けることにより、設置者が安全かつ容易に止水板の配置調整を行うことができる（止水板１の載置位置によっては、１回の踏力付加で事足る場合もあることは言うまでもない。）。このようにすると、止水板本体３と開口縁部５７が密接して止水性が向上することは言うまでもないが、止水板本体３の両端部側に当て材６１Ａが設けられていると、柔軟に形成された当て材６１Ａが前記付勢力によって弾性的に潰れて止水性を更に向上できる。そして、設置者は一定程度の踏力付加を繰り返し、移動ができなくなった状態（踏力を付加しても、傾斜板７がそれ以上傾斜しなくなった状態）で、この作業を停止すればよい。
【００５９】
上述の手順で本実施形態における止水板１の配置調整を行った後、図９に示すとおり、止水板本体３が備える押圧機構６３を用いて床面５９に押圧する。この押圧機構６３は、例えば特開２０１７−１６０６９３号公報に開示された止水板１を下方に押し付ける機構が採用できる。即ち、操作レバーを倒す操作をすることで、回転軸芯が固定された固定回転軸が回転し、当該軸の回転に連動して押圧部が開口内壁６５に当接し、さらにレバーを倒すと、軸芯が回転移動する回動回転軸が回動し、その結果、押圧部は開口内壁６５に当接押圧しながら、止水板本体３を下方（床面５９側）に押し付けることができる。
【００６０】
付勢装置５を用いて本止水板１を移動させることによって止水板本体３を床面５９と開口縁部５７とに当接させた後、前記押圧機構６３を用いて床面５９に押圧する。なお、押圧機構６３を起動させる際には、設置者は傾斜板７を踏み込んだ状態（踏力を付加した状態）で行うことにより、止水板本体３が開口５１側に付勢された状態で床面５９に向けて押し付けて固定できるので、より好ましい。これにより、配置調整後の本止水板１をより強固に固定することができ、開口５１を簡便かつ確実に封鎖することが可能となる。なお、図９は、本実施形態における止水板１の固定方法を示す模式図である。
【００６１】
５．傾斜板７の収納
本実施形態の止水板１では、未使用時に傾斜板７を固定具９側に回動させて収納することができる。図８（ａ）及び（ｂ）を用いて傾斜板７の収納方法について詳細に説明する。図８（ａ）及び（ｂ）は、傾斜板７の収納方法を示す図であって、図８（ａ）は、傾斜板７を止水板本体３側に回動させた状態を示す模式図であり、図８（ｂ）は、係合部３５に突起部２７が係合した状態を示す模式図である。
【００６２】
傾斜板７の収納は、図８（ａ）及び（ｂ）に示すとおり、傾斜板７を止水板本体３側に回動させることによって達成することができる。当該収納方法についてより具体的には、貫１３を支点にして傾斜板７の一方の端部領域を止水板本体３側へ跳ね上げるように回動（傾斜板７の一方の端部領域が上方に移動するように回転）させ、突起部２７を固定具９が具備する係合部３５に係合、係止させる。即ち、本実施形態の止水板１は、傾斜板７が、概ね他方の端部を軸にして、止水板本体３に対して回動可能でかつ係止可能な構成を有している。
【００６３】
上述のとおり、傾斜板７は貫１３を介して弾性体１５によって上方に牽引されているため、突起部２７が上方に牽引された状態となって係合部３５と突起部２７との係合が維持される。当該状態により、傾斜板７が止水板本体３と略平行に立設し、収納状態となる。この様に傾斜板７を収納状態とすることで、本実施形態の止水板１の未使用時や、開口５１への設置完了後において、人間が誤って傾斜板７に足を引掛ける等の事故を防止しつつ、未使用時はより簡便に収納スペースに収納することができる。
【００６４】
以上、本実施形態における止水板の代表的な実施形態について図面を参照しつつ説明してきたが、本発明は、これらの実施形態に限定されるものではなく、特許請求の範囲の記載の精神及び教示を逸脱しない範囲でその他の変形例や改良例が存在し、これらは全て本発明の技術的範囲に含まれる。
【産業上の利用可能性】
【００６５】
本実施形態における止水板は、止水板本体を開口側に付勢する機構を備え、容易かつ確実に止水板本体を開口に配設することができるものである。
【符号の説明】
【００６６】
１      止水板
３      止水板本体
５      付勢装置
７      傾斜板
７Ａ    天板
７Ｂ    側板
９      固定具
９Ａ    固定面
９Ｂ    接続片
１１    床面当接部
１３    貫
１５    弾性体
１７    弾性体回避孔
１９    固定ビス
２１    ビス回避孔
２３    固定孔
２５    貫穴
２７    突起部
２９    リブ
３１    止水板固定用孔
３３    弾性体係合部
３５    係合部
３７    長孔
３９    ボルト挿通孔
４１    ボルト
４２    ナット
４３    懐
４５    フラット部
４７    係合端
４９    固定ワッシャ
５０    固定孔
５１    開口
５３    建物外部側
５５    建物内部側
５７    開口縁部
５９    床面
６１Ａ  当て材
６１Ｂ  当て材
６３    押圧機構
６５    開口内壁
Ｌ１    円弧ライン
Ｌ２    水平距離
【図１】
2019105059.tif 000003
【図２】
2019105059.tif 000004
【図３】
2019105059.tif 000005
【図４】
2019105059.tif 000006
【図５】
2019105059.tif 000007
【図６】
2019105059.tif 000008
【図７】
2019105059.tif 000009
【図８】
2019105059.tif 000010
【図９】
2019105059.tif 000011